(57)【特許請求の範囲】
【請求項１】
壁面内に収容できる折り畳み式座椅子であって、
１．壁面に設けられた開口部の内面の上面及び左右側面が枠材（Ｆ）で被覆され、
２．該開口部内部には棚板（Ｅ）が設けられ、
３．棚板（Ｅ）には、蝶番（Ｋ）を回転軸として、前傾するように回転する座板（Ａ）が取り付けられ、
４．左右の枠材（Ｆ）には、最大開き角度が９０度である蝶番を介して、２枚の両開きの扉（Ｄ）が取り付けられ、
５．扉（Ｄ）の裏面には、座板（Ａ）を支持する支持材（Ｂ）が取り付けられていることを特徴とする折り畳み式座椅子。
【請求項２】
壁面内に収容できる折り畳み式座椅子であって、
１．壁面に設けられた開口部の内面の上面及び左右側面が枠材（Ｆ）で被覆され、
２．該開口部内部には、棚板（Ｅ）が設けられ、
３．棚板（Ｅ）には、蝶番（Ｋ）を回転軸として、前傾するように回転する座板（Ａ）が取り付けられ、
４．さらに、上記座板（Ａ）は、左右の枠材（Ｆ）に取り付けられたブレ−キ付きたすき金具により回転が支援され、
５．左右の枠材（Ｆ）には、最大開き角度が９０度である蝶番を介して、２枚の両開き扉（Ｄ）が取り付けられ、
６．扉（Ｄ）の裏面には、座板（Ａ）を支持する支持材（Ｂ）が取り付けられていることを特徴とする折り畳み式座椅子。
【請求項３】
最大開き角度が９０度である蝶番が、所定の角度以上に開くと、一気に９０度まで開くスプリング付き蝶番であることを特徴とする請求項１又は請求項２に記載の折り畳み式座椅子。
【請求項４】
扉（Ｄ）の下部にコロが取り付けられていることを特徴とする請求項１〜３のいずれかに記載の折り畳み式座椅子。
【請求項５】
前記支持材上面に嵌合用凸条（Ｂ１）が設けられ、座板（Ａ）の裏面に嵌合用溝（Ａ１）が設けられていることを特徴とする請求項１〜４のいずれかに記載の折り畳み式座椅子。
【発明の詳細な説明】
【０００１】
【発明の属する技術分野】
本発明は、住宅内、特に玄関で使用する座椅子に関する発明である。
【０００２】
【従来の技術】
我が国の人口構成は、急速に高齢化が進み、それに伴って、最近では、段差のないバリアフリー住宅が開発されてきた。ところが、玄関においては、雨水の侵入等の問題があり、段差をなくすことが困難である。そのため、高齢者にとっては、外出又は帰宅の際に、玄関で靴を履き又は脱ぐことが煩わしく、苦痛を伴う。
【０００３】
玄関に座椅子又は腰掛けを設けて、高齢者が座って履き替えられようにしている例もあるが、玄関に座椅子を設けるためには、玄関を十分に広くしておかなければならないが、我が国の住宅事情から鑑みて、上記のように、十分なスペースを確保することが困難な場合が多い。
【０００４】
【発明が解決しようとする課題】
本発明は、上記問題点を以下に述べる折り畳み式の座椅子を玄関に設置することにより解決しようとするものである。
【０００５】
【課題を解決するための手段】
本発明を図面に基づいて説明する。図１は、本発明による折り畳み式座椅子の斜視図である。図３は、その断面図である。図中、Ｆは、壁面に設けられた開口部の内面を被覆する枠材Ｆである。開口部内面の下面は、床材Ｙを延長させてもよいし、別の板材を敷設してもよい。開口部が玄関の土間に設けれている場合は、床材Ｙは、タイル等の場合もある。
【０００６】
開口部の奥面は外壁又は隣室の壁材等で封鎖されているが、これら壁材の裏面が見えてデザイン上見苦しければ、合板又は化粧板等の内装材で被覆する。
【０００７】
Ｄは扉で、左右２枚が両開き構造となっている。Ａは本発明の座椅子の座板である。座板Ａは、蝶番Ｋにより棚板Ｅに取り付けられており、蝶番Ｋを回転軸として前傾するように回転する。座板Ａを座椅子として使用するときは、座板Ａの左右を、扉Ｄに取り付けられた支持材Ｂにより支える。扉Ｄは閉じた状態から、最大９０度まで開くよう最大開き角度９０度の蝶番を介して枠材Ｆに取り付けられている。
【０００８】
本発明による座椅子は、壁面に収納できるように設置されるているから、棚板Ｅの奥行きは、壁厚みに等しく、通常の住宅の場合、およそ１０ｃｍ程度である。
【０００９】
この座椅子を、図１の状態から折り畳んで壁内に収納するときは、まず、座板Ａを上向きに９０度回転させて閉じる。続いて、左右の扉Ｄを閉じる。座板Ａを使用するときは、左右の扉Ｄを９０度開いて、座板Ａを９０度前傾するように回転させて開き、扉Ｄに取り付けた支持材Ｂに支持させる。
【００１０】
扉Ｄが壁内に収納されたときの状態を図に示せば、図２のごとく、ごく普通に見られる両開き扉付き収納のごとき外観であり、玄関に設置しても何ら違和感を感じさせない。
【００１１】
【発明の実施の形態】
本発明は、主として、運動能力、注意力が通常の人よりも劣る高齢者又は身障者のためのものであるから、実施にあたっては、以下に述べる点を考慮することが望ましい。
【００１２】
第１に、安全面から、座板Ａ、扉Ｄ、棚板Ｅ、蝶番Ｋ、支持材Ｂ等は十分に強度のあるものでなければならない。特に支持材Ｂの強度は安全面で重要であるから、座板Ａの幅と同程度の長さのものとし、座板Ａをほぼ全幅にわたって支持することが望ましい。
【００１３】
家具、建具等の扉Ｄの角部は、通常、大きな面取りを施さないが、本発明の場合、座板Ａを座椅子として使用するときに、扉Ｄは、ちょうど、座椅子のひじ掛けの役割を果たすから、扉Ｄの上部の角部は比較的大きな面とりを施しておくことが望ましい。ただし、図２の座板Ａを収納した状態において、扉Ｄの角部に大きな面取りが施されていると、デザイン面で奇異に感じられる場合がある。
【００１４】
そのような場合は、扉Ｄの角部を含む上側面をゴム等クッション効果のある材料で覆う等の処置あるいは、扉Ｄをアーチ型とし、上枠もそれに合わせた形状を採用すればよい。
【００１５】
座板Ａは、それを使用するとき、水平に固定される必要があるから、蝶番Ｋは、スライド丁番が適している。スライド丁番Ｋと併用して、左右の枠材Ｆと座板Ａをたすき金具で連結し、座板Ａが前傾するように回転することを支援させてもよい。特にブレ−キ付きたすき金具は、座板Ａを緩やかに前傾するように回転させながら支持材Ｂ上に載せることができるので、より安全でかつ取り扱いが容易になる。前記たすき金具とは、箱物の開扉を開いたとき、一定の状態に保持するための金具であり、扉の開閉方向、保持する角度により種類が異なり、ブレ−キ付き、ストップ装置付きなどがある。（例えば、剣持仁、川上信二、垂見健三、藤盛啓治編、「家具の事典」朝倉書店、１９９２年５月１０日、第５刷発行、第６１７頁「２．５．１１たすき金具」参照）。
【００１６】
また、棚板Ｅの裏面には補強材Ｕを設け、全長に亙って棚板Ｅを補強するか、又はスパン中央部を下から支える支持材で補強することが望ましい。
【００１７】
支持材Ｂによる座板Ａの支持構造は、図５のように単に下から支えるものよりも、座板Ａが横ずれしないよう、例えば、図５のように、金属製で、その上面に設けられた嵌合用凸条（Ｂ１）によって、座板Ａの裏面に設けた嵌合用溝（Ａ１）に緩く嵌合するようにするとよい。また、座板Ａが横ずれして支持材Ｂの支持から外れないよう、扉Ｄの蝶番は、最大でも９０度までしか開かないものを用いることが望ましい。
【００１８】
また、扉Ｄの開き角度が、所定の角度、例えば３０度を越えると、蝶番のスプリングにより一気に９０度まで開いて、その位置で固定されるスプリング付きの蝶番を用いれば、一層安全かつ取り扱いが容易になる。
【００１９】
さらに、扉Ｄが閉じられている状態のキャッチ金具は、オープンキャッチがよい。扉Ｄを軽く押すと開き、閉じるときも扉Ｄを軽く押せば閉まり、身障者、高齢者にとって、取り扱いが容易である。同様に、座板Ａのキャッチもオープンキャッチでよいが、キャッチが外れた途端に、座板Ａが自重で前側に倒れてくるので、身障者や高齢者に取っては、危険な場合がある。従って、先にのべたように、座板Ａの回転は、蝶番とブレーキ付きのたすき金具の併用が望ましい。
【００２０】
扉Ｄを開くときに、扉Ｄが床面に直に接すると、床面を傷つけるから、扉Ｄ下部には、図４のように、コロを取りつけ、扉Ｄが床面を傷付けるのを防止するとともに、扉Ｄの開閉がスムーズに行えるようにするとよい。
【００２１】
なお、座りやすくするために、座面をクッションシートで覆うこともできるが、その場合、座部の厚みが厚くなり、棚板Ｅ上の空間に他の物を収納できなくなるが、もともと、この空間は、奥行が小さく、収納能力に乏しい構造である。
【００２２】
【発明の効果】
本発明による座椅子は、使用しないときに、壁内に収納できるので、狭い玄関にも設置できるとともに、扉Ｄがひじ掛けにもなるので高齢者、身障者にとっても安全である。また、扉Ｄを回転させる蝶番の最大開き角度を９０度としているので、座部が扉Ｄの支持材Ｂから外れる危険性がなく、安全である。
【００２３】
また、請求項２の発明は、座板Ａの前傾するように回転することがブレ−キ付きのたすき金具によって支援されるので、座板Ａが緩やかに前傾し、安全面に優れる。請求項３の発明は、扉Ｄの蝶番が、所定の角度以上に開くと、一気に９０度まで開くスプリング付き蝶番なので、扉Ｄを所定の位置まで開けば、直ちに９０度開いた状態になり、その位置で固定されるから、通常の人よりも運動能力に乏しい高齢者でも、取り扱いが楽にできる。
【図面の簡単な説明】
【図１】 本発明の座椅子の斜視説明図である。
【図２】 本発明の座椅子を壁内に収容したときの斜視説明図である。
【図３】 本発明の座椅子を壁内に収容したときの断面説明図である。
【図４】 コロを取り付けた扉Ｄの説明図である。
【図５】 座板と支持材Ｂを示す断面説明図である。
【符号の説明】
Ａ        座板
Ａ１      嵌合用溝
Ｂ        支持材
Ｂ１      嵌合用凸条
Ｄ        扉
Ｅ        棚板
Ｆ        枠材
Ｋ        スライド丁番
Ｕ        補強材
Ｙ        床材
【図１】
0003675388.tif 000002
【図２】
0003675388.tif 000003
【図３】
0003675388.tif 000004
【図４】
0003675388.tif 000005
【図５】
0003675388.tif 000006